(57)【要約】【課題】キャリアガス式蒸発装置を備える蒸発濃縮装置において熱効率などを改善する。【解決手段】被処理水が供給されて被処理水に対して蒸発濃縮処理を行なう蒸発濃縮装置は、キャリアガスと被処理水とを気液接触させることによりキャリアガスを加湿して排出する加湿塔と、加湿されたキャリアガスと冷却水とを気液接触させてキャリアガスを冷却し、水分の少なくとも一部を凝縮させることにより、除湿されたキャリアガスを生成して排出する除湿塔と、加湿塔に対して被処理水を循環させる第１の循環経路と、第１の循環経路に設けられて被処理水を加温する加温手段と、加温手段とは別個に設けられ、除湿塔で発生した熱を回収して第１の循環経路を流れる被処理水に熱を与えるヒートポンプと、を備え、加湿塔から流出する水の少なくとも一部を濃縮水として排出する。【選択図】図２
2019162591.tif 000002
【特許請求の範囲】
【請求項１】
混入成分を含む被処理水が供給されて前記被処理水に対して蒸発濃縮処理を行なう蒸発濃縮装置であって、
キャリアガスが供給されて前記キャリアガスと前記被処理水とを気液接触させ、前記キャリアガスを加湿して排出する加湿塔と、
前記加湿されたキャリアガスと冷却水とを気液接触させて前記加湿されたキャリアガスを冷却し、水分の少なくとも一部を凝縮させることにより、除湿されたキャリアガスを生成して排出する除湿塔と、
前記加湿塔に対して前記被処理水を循環させる第１の循環経路と、
前記第１の循環経路に設けられて前記被処理水を加温する加温手段と、
前記加温手段とは別個に設けられ、前記除湿塔で発生した熱を回収して前記第１の循環経路を流れる前記被処理水に熱を与えるヒートポンプと、
を有し、
前記加湿塔から流出する水の少なくとも一部を、前記混入成分を含む濃縮水として排出する、蒸発濃縮装置。
【請求項２】
前記冷却水を前記除湿塔に対して循環させる第２の循環経路をさらに備え、前記除湿塔から排出される前記冷却水の一部が、前記混入成分が除去された処理水として回収される、請求項１に記載の蒸発濃縮装置。
【請求項３】
前記第２の循環経路を流れる前記冷却水と、前記第１の循環経路において前記加湿塔の出口と前記加温手段の入口との間を流れる前記被処理水との間で熱交換を行なう熱交換器をさらに備える、請求項２に記載の蒸発濃縮装置。
【請求項４】
前記ヒートポンプは、前記除湿塔から排出される前記除湿されたキャリアガスから熱を回収して前記第１の循環経路を流れる前記被処理水に対して熱を与える、請求項２または３に記載の蒸発濃縮装置。
【請求項５】
前記ヒートポンプで発生した凝縮水が前記処理水として回収される、請求項４に記載の蒸発濃縮装置。
【請求項６】
前記ヒートポンプによって熱が回収された前記除湿されたキャリアガスを前記加湿塔に供給する配管を備える、請求項４または５に記載の蒸発濃縮装置。
【請求項７】
前記ヒートポンプは、前記第２の循環経路を流れる前記冷却水から熱を回収して、前記第１の循環経路を流れる前記被処理水に対して熱を与える、請求項２または３に記載の蒸発濃縮装置。
【請求項８】
前記ヒートポンプが前記被処理水に熱を与える位置は、前記第１の循環経路において前記加湿塔の出口と前記加温手段の入口との間の位置である、請求項１乃至７のいずれか１項に記載の蒸発濃縮装置。
【発明の詳細な説明】
【技術分野】
【０００１】
本発明は、混入成分を含む被処理水に対して蒸発濃縮処理を行って混入成分が濃縮された濃縮水を生成する蒸発濃縮装置に関し、特に、キャリアガス式蒸発装置による蒸発濃縮装置に関する。
【背景技術】
【０００２】
各産業のさまざまなプロセスにおいて、酸、アルカリ、金属塩などの各種の成分が混入した排水が発生する。最近では、水質汚染の防止や水資源の有効利用の観点から、海外を中心に液体廃棄物の量をゼロとするＺＬＤ(Zero Liquid Discharge)規制が適用されることが多くなってきている。そのため、各種の成分を含む排水である被処理水から混入成分が濃縮された濃縮水を生成する蒸発濃縮技術が必要とされるようになってきた。被処理水に対して蒸発濃縮処理を行ったのち、例えば濃縮水からは混入成分が分離される。蒸発濃縮処理により混入成分を含まない処理水も発生するが、処理水は再利用することができる。蒸発濃縮装置としては、多重効用缶式や多段蒸留式、機械的圧縮式などが知られているが、より温和な条件で被処理水に対して蒸発濃縮処理を行うことができるキャリアガス式蒸発装置が注目されている。特許文献１，２は、キャリアガス式蒸発装置の例を示している。
【０００３】
キャリアガス式蒸発装置とは、加湿塔において沸点以下の比較的温度の高い条件で被処理水とキャリアガスとを気液接触させて被処理水中の水分を水蒸気としてキャリアガスに移行させてキャリアガスを加湿し、次に、水蒸気を含むキャリアガスを除湿塔において冷却し、キャリアガス中の水蒸気の少なくとも一部を凝縮させるものである。加湿塔内の被処理水中の水分が除湿塔における凝縮水に移行するので、加湿塔側では被処理水中の混入成分が濃縮されたことになる。除湿塔では凝縮水を処理水として取り出すことができる。キャリアガス式蒸発装置では、加湿塔側において加温し、除湿塔では冷却を行うが、特許文献３，４は、加温と冷却とを行うためにヒートポンプを用いることを開示している。また、気液接触により気体を加湿する際に気液接触の効率を高めるものとして、特許文献５は、バブリングカラムを多段に設けることを開示している。また気液接触により気体を冷却し気体中の水分を凝縮させる際に気液接触の効率を高めるものとして、特許文献６は、バブリングカラムを多段に設けることを開示している。
【先行技術文献】
【特許文献】
【０００４】
【特許文献１】特表２０１５−５２７９３０号公報
【特許文献２】特表２０１６−５３００９６号公報
【特許文献３】特許第４３１９９５８号公報
【特許文献４】米国特許出願公開第２０１６／０２５１２３５号明細書
【特許文献５】米国特許第９１２００３３号明細書
【特許文献６】米国特許出願公開第２０１５／０１２９４１０号明細書
【発明の概要】
【発明が解決しようとする課題】
【０００５】
キャリアガス式蒸発装置を用いる蒸発濃縮装置では、例えば熱効率の点で改善の余地が残されている。
【０００６】
本発明の目的は、改善されたキャリアガス式蒸発装置を備える蒸発濃縮装置を提供することにある。
【課題を解決するための手段】
【０００７】
本発明の蒸発濃縮装置は、混入成分を含む被処理水が供給されて被処理水に対して蒸発濃縮処理を行なう蒸発濃縮装置であって、キャリアガスが供給されてキャリアガスと被処理水とを気液接触させ、キャリアガスを加湿して排出する加湿塔と、加湿されたキャリアガスと冷却水とを気液接触させて加湿されたキャリアガスを冷却し、水分の少なくとも一部を凝縮させることにより、除湿されたキャリアガスを生成して排出する除湿塔と、加湿塔に対して被処理水を循環させる第１の循環経路と、第１の循環経路に設けられて被処理水を加温する加温手段と、加温手段とは別個に設けられ、除湿塔で発生した熱を回収して第１の循環経路を流れる被処理水に熱を与えるヒートポンプと、を有し、加湿塔から流出する水の少なくとも一部を、混入成分を含む濃縮水として排出する。
【発明の効果】
【０００８】
加湿されたキャリアガスを除湿塔に導いて冷却水と気液接触させ、キャリアガス中の水分の少なくとも一部を凝縮させれば、凝縮熱が発生する。本発明によれば、第１の循環経路において被処理水を加温する加温手段とは別個に、キャリアガスにより除湿塔に持ち込まれた熱や除湿塔で発生した凝縮熱を回収して第１の循環経路を流れる被処理水に熱を与えるヒートポンプを設けることにより、系全体としての熱効率を向上することができる。
【図面の簡単な説明】
【０００９】
【図１】キャリアガス式蒸発装置による蒸発濃縮装置の一例を示す図である。
【図２】本発明の第１の実施形態の蒸発濃縮装置を示す図である。
【図３】第１の実施形態の蒸発濃縮装置の別の例を示す図である。
【図４】第２の実施形態の蒸発濃縮装置を示す図である。
【発明を実施するための形態】
【００１０】
本発明の実施の形態について、図面を参照して説明する。本発明に基づく蒸発濃縮装置のよりよい理解のために、最初に、キャリアガス式蒸発装置による一般的な蒸発濃縮装置について、図１を用いて説明する。
【００１１】
図１に示す蒸発濃縮装置は、大別すると、加湿塔１０と、除湿塔２０と、加湿塔１０の側で循環する被処理水と除湿塔２０の側で循環する冷却水との間で熱交換を行う熱交換器３０と、を備えている。加湿塔１０と除湿塔２０とによってキャリアガス式蒸発装置が構成されている。加湿塔１０は、キャリアガスが供給されてキャリアガスを被処理水とを気液接触させ、キャリアガスを加湿するものである。キャリアガスとしては、例えば空気や窒素などが用いられる。加湿されたキャリアガスは、加湿塔１０の上部に接続した配管４１を介して加湿塔１０から排出される。加湿塔１０には、キャリアガスに対して被処理水を噴霧する噴霧器１６が設けられている。加湿塔１０の内部には、気液接触を促進するための充填物を設置してもよい。また加湿塔１０の内部は、特許文献５に開示されているような、バブリングカラムを必要に応じて多段に設けたような構造であっても構わない。加湿塔１０の下部には被処理水を一時的に貯える貯水部１１が形成され、さらに、被処理水を排出する配管１２が接続している。配管１２は、熱交換器３０の二次側の入口に接続する。熱交換器３０の二次側の出口には、被処理水を加湿塔１０に循環させるための循環配管１３が接続する。循環配管１３には、外部から熱媒が供給されて被処理水を加温するための熱交換器１５が設けられている。循環配管１３の先端は上述した噴霧器１６に接続している。配管１２、熱交換器３０の二次側、循環配管１３及び熱交換器１５によって、被処理水を加温しつつ加湿塔１０に対して被処理水を循環させる第１の循環経路が構成されている。さらに配管１２には、後述する濃縮水として被処理水を排出する配管１４も接続している。そして配管１２において、配管１４への分岐点よりも下流側の位置に、被処理水を第１の循環経路に供給するための配管１７が接続している。この蒸発濃縮装置に外部から供給される被処理水が十分に高温である場合には、加湿塔１０に配管１７を接続して外部からの被処理水が加湿塔１０に直接供給されるようにしてもよい。
【００１２】
除湿塔２０は、加湿塔１０から加湿されたキャリアガスが配管４１を介して供給され、このキャリアガスを噴霧器２６から噴霧される冷却水と気液接触させることによってキャリアガス中の水分を凝縮させるものである。水分の一部が凝縮除去されたキャリアガスは、除湿されたキャリアガスとして、除湿塔２０の上部に接続した配管４２を介して除湿塔２０から外部に排出される。除湿塔２０の内部には、気液接触を促進するための充填物を設置してもよい。また除湿塔２０の内部は、特許文献６に開示されているような、バブリングカラムを必要に応じて多段に設けたような構造であっても構わない。除湿塔２０の下部には冷却水を一時的に貯える貯水部２１が形成され、さらに、冷却水を排出する配管２２が接続している。配管２２は、熱交換器３０の一次側の入口に接続している。熱交換器３０の一次側の出口には、冷却水を除湿塔２０に循環させるための循環配管２３が接続し、循環配管２３の先端は上述した噴霧器２６に接続している。循環配管２３には、処理水として冷却水を排出する配管２４も接続している。配管２２、熱交換器３０の一次側、及び循環配管２３によって、冷却水を冷却しつつ除湿塔２０に対して冷却水を循環させる第２の循環経路が構成されている。
【００１３】
次に、図１に示した蒸発濃縮装置による蒸発濃縮処理について説明する。混入成分を含む被処理水は、配管１７を介して第１の循環経路に供給され、熱交換器１５，３０によって加温され、噴霧器１６から加湿塔１０内に噴霧される。加湿塔１０では、キャリアガスが供給されるとともに第１の循環経路を介して加温された被処理水が噴霧されるので、キャリアガスと被処理水との気液接触により、被処理水の水分の一部が水蒸気としてキャリアガスに移行する。このようにして加湿されたキャリアガスは、配管４１を介して除湿塔２０に送られる。被処理水の加温及び循環と、被処理水とキャリアガスとの気液接触を継続すると、水分がキャリアガスに継続的に移行するので、第１の循環経路内を循環する被処理水中の混入成分濃度が上昇する。蒸発濃縮装置の起動時には混入成分を含まない被処理水が第１の循環経路内を循環していたとしても、混入成分を含む被処理水を配管１７を介して供給することにより、蒸発濃縮装置の運転を継続するにつれて配管１７からの被処理水における混入成分濃度よりも循環する被処理水中の混入成分濃度が高くなる。被処理水中の混入成分濃度が所定の値よりも高くなったら、被処理水の一部を、混入成分濃度が高められた濃縮水として配管１４から外部に排出する。排出した濃縮水に対しては、必要に応じて適切な排水処理を行なえばよい。
【００１４】
除湿塔２０では、加湿塔１０から配管４１を介して加湿されたキャリアガスが供給されるとともに、第２の循環経路を介して冷却水が循環し、キャリアガスと噴霧器２６から噴霧される冷却水との接触により、キャリアガス中の水分の少なくとも一部が凝縮して冷却水に移行する。水分の凝縮によりキャリアガスは除湿されたことになり、除湿されたキャリアガスは配管４２を介して外部に排ガスとして排出される。配管２２から排出された冷却水は熱交換器３０を通過するときに被処理水に熱を与え、それによって冷却され、除湿塔２０に循環することになる。冷却水の冷却及び循環と、冷却水とキャリアガスとの気液接触を継続すると、キャリアガス中の水分が冷却水に継続的に移行するので、冷却水の量が増加する。キャリアガスからの凝縮水には混入成分はほとんど含まれていないので、増大した冷却水も混入成分をほとんど含んでいないことになる。冷却水がある程度まで増加したら、冷却水の一部を、混入成分が除去された処理水として、配管１４を介して外部に排出する。
【００１５】
ここで図１に示す蒸発濃縮装置における熱の移動について説明する。配管内を移動する際の伝熱等による温度変化は考えないものとする。熱交換器１５の二次側の出口での被処理水の温度、すなわち噴霧器１６から噴霧される被処理水の温度をＴ1とする。加湿塔１１において被処理水を噴霧し、被処理水中の水分の一部をキャリアガスに移行することにより、蒸発潜熱およびキャリアガスとの熱交換、配管１７から供給される新たな被処理水との混合のために被処理水の温度は低下する。配管１２での被処理水の温度をＴ2とすると、Ｔ1＞Ｔ2である。この被処理水は熱交換器３０によって加温される。熱交換器３０の二次側出口での被処理水の温度をＴ3とすれば、Ｔ1＞Ｔ3＞Ｔ2である。一方、冷却水について、熱交換器３０の一次側の出口での冷却水の温度をＴ4とする。温度Ｔ4は除湿塔２０でキャリアガスに対して噴霧される冷却水の温度である。除湿塔２０では、キャリアガスを冷却することによってキャリアガス中の水分が凝縮するので、除湿塔２０から配管２２に流れ出る冷却水の温度をＴ5とすれば、加湿塔１０からキャリアガスが持ち込んだ顕熱と凝縮潜熱とにより、Ｔ5＞Ｔ4となる。また、熱交換器３０の一次側と二次側との間で、Ｔ5＞Ｔ3かつＴ4＞Ｔ2が成り立つ。
【００１６】
図２は、本発明の第１の実施形態の蒸発濃縮装置を示している。図１に示す蒸発濃縮装置では、加温手段である熱交換器１５に対し系外から熱エネルギーを供給して被処理水を加温しているので、熱効率を向上させるためには、除湿塔２０側から熱エネルギーをさらに回収し、被処理水の加温に用いればよいことになる。図１に示す蒸発濃縮装置を検討すると、配管４２を介して除湿塔２０から排出される排ガスの熱エネルギーが利用されていないことがわかる。そこで図２に示す第１の実施形態の蒸発濃縮装置では、図１に示す装置において、排ガスから熱を回収するヒートポンプ３１を設け、回収した熱で被処理水を加熱するようにしたものである。具体的には、排ガスの配管４２をヒートポンプ３１の低温側の入口に接続し、循環配管１３を流れる被処理水が、熱交換器１５で加温される前にヒートポンプ３１の高温側を通過して加温されるようにしている。
【００１７】
図２に示す蒸発濃縮装置では、配管４２を介してヒートポンプ３１の低温側に供給される排ガスは、その温度において飽和湿度のものである。この排ガスは、ヒートポンプ３１を通過することによって冷却されるともに、凝縮水を発生する。凝縮水はヒートポンプ３１から処理水として回収される。一方、被処理水は、ヒートポンプ３１の高温側を通過することによって、温度がＴ3からＴ6（ただし、Ｔ1＞Ｔ6＞Ｔ3）まで加温されることになる。図２に示す蒸発濃縮装置では、熱交換器１５は、被処理水を温度Ｔ6からＴ1まで昇温すればよいことになるから、図１に示す装置に比べ、加温手段である熱交換器１５での加熱負荷を抑えることができ、ランニングコストを低下させることができる。また、ヒートポンプ３１で凝縮水を回収できるので、被処理水からの全体としての水の回収率が向上する。
【００１８】
図３は、第１の実施形態の蒸発濃縮装置の別の構成を示している。図２に示す蒸発濃縮装置において、ヒートポンプ３１の低温側の出口から加湿塔１０に接続する配管４３を設け、ヒートポンプ３１の低温側の出口から排出される排ガスをキャリアガスとして加湿塔１０に循環させるようにしたものである。ヒートポンプ３１の低温側の出口からの排ガスは、ヒートポンプ３１において凝縮水が分離されたことから明らかなように、低温かつ水分含有量が少ない気体である。この気体を加湿塔１０に戻すことによって、キャリアガスの循環使用が可能になる。
【００１９】
なお、ヒートポンプ３１を設けずに排ガスをキャリアガスとして使用することで、排ガスの熱エネルギーを加湿塔１０側で回収することになるため、エネルギーの回収の観点で考えるとヒートポンプ３１を設ける必要がなくなるが、その場合、キャリアガスがかなりの水分を含んでいるため、加湿塔１０内で被処理水からキャリアガスに移行する水分量が少なくなり、全体としてみると被処理水からの水の回収率が低下する。水の回収率を上げるためには排ガスを冷却して凝縮水として回収する必要があるから、結局、ヒートポンプ３１を設けることが必要となる。
【００２０】
次に、本発明の第２の実施形態の蒸発濃縮装置について、図４を用いて説明する。図２及び図３に示した第１の実施形態の蒸発濃縮装置は、除湿塔２０の排ガスから熱を回収しているが、除湿塔２０側からの熱の回収元は排ガスに限られるものではない。第２の循環経路を流れる処理水からも熱を回収することができる。図４に示した蒸発濃縮装置では、図１に示す蒸発濃縮装置において、第２の循環経路を流れる処理水から熱を回収するヒートポンプ３２を設け、回収した熱で被処理水を加熱するようにしたものである。具体的には、熱交換器３０の一次側の出口とヒートポンプ３２の低温側の入口とを接続し、ヒートポンプ３２の低温側の出口から処理水が循環配管２３に流れ、循環配管１３を流れる被処理水が、熱交換器１５で加温される前にヒートポンプ３１の高温側を通過して加温されるようにしたものである。この構成では、図１に示した装置に比べ、熱交換器１５の入口温度を高くすることができるので熱交換器１５での加熱負荷を小さくすることができ、また、除湿塔２０で噴霧される冷却水の温度を低くできるので、キャリアガスからの凝縮水の量を多くできて水の回収率が向上する。
【符号の説明】
【００２１】
１０    加湿塔
１６，２６    噴霧器
２０    除湿塔
１５，３０    熱交換器
３１，３２    ヒートポンプ
【図１】
2019162591.tif 000003
【図２】
2019162591.tif 000004
【図３】
2019162591.tif 000005
【図４】
2019162591.tif 000006